(57)【要約】【課題】練り歯磨き粉を収容したチューブを簡単にかつ確実に着脱でき、また、使用後ごとにその歯磨き粉のチューブを取外す必要のない歯ブラシを提供する。【解決手段】歯ブラシの先端部分と歯磨き粉収容部分とからなる歯ブラシにおいて、歯ブラシの先端部分が、柄の部分、ブラシ部分及び接続部を備え、歯磨き粉収容部分に練り歯磨き粉が収容された練り歯磨き収容部を収容し、柄の部分に、接続部からブラシ部分に練り歯磨き粉を供給するための供給路が形成されていて、接続部に練り歯磨き粉収容部の先端部が接続されると、練り歯磨き粉収容部内の練り歯磨き粉が接続部を介して供給路に供給され、接続部が該接続部から突出する複数の接続手段を有し、練り歯磨き粉収容部の先端部を接続部に接続すると、接続手段が、練り歯磨き粉収容部に挿入される。【選択図】図１
2006305282.tif 000002
【特許請求の範囲】
【請求項１】
歯ブラシの先端部分と歯磨き粉収容部分とからなる歯ブラシにおいて、
前記歯ブラシの先端部分が、柄の部分、ブラシ部分及び接続部を備え、
前記歯磨き粉収容部分に練り歯磨き粉が収容された練り歯磨き収容部を収容し、
前記柄の部分に、前記接続部から前記ブラシ部分に前記練り歯磨き粉を供給するための供給路が形成されていて、前記接続部に前記練り歯磨き粉収容部の先端部が接続されると、該練り歯磨き粉収容部内の前記練り歯磨き粉が前記接続部を介して前記供給路に供給され、
前記接続部が該接続部から突出する複数の接続手段を有し、前記練り歯磨き粉収容部の先端部を該接続部に挿入すると、該接続手段が、前記練り歯磨き粉収容部に接続される、歯ブラシ。
【請求項２】
請求項１の歯ブラシにおいて、さらに、前記歯磨き粉収容部分が胴体ケースを有し、該胴体ケースが溝を有し、該溝に沿って前記練り歯磨き粉を押し出す手段をさらに設けた、歯ブラシ。
【請求項３】
請求項２の歯ブラシにおいて、前記溝を構成する端面に複数の切欠部を設け、前記練り歯磨き粉を押し出す手段が、前記溝に沿って移動する際に該切欠部と係合する、歯ブラシ。
【請求項４】
請求項２の歯ブラシにおいて、前記練り歯磨き粉を押し出す手段が、一対のローラとそれらを前記溝に沿って移動させるレバーとからなる、歯ブラシ。
【請求項５】
請求項１の歯ブラシにおいて、前記ブラシ部分が前記柄の部分から取り外し自在である、歯ブラシ。
【請求項６】
請求項１の歯ブラシにおいて、前記練り歯磨き粉がジェル状のものである、歯ブラシ。
【請求項７】
請求項１の歯ブラシにおいて、前記練り歯磨き粉収容部が変形可能な材料から構成されている、歯ブラシ。
【請求項８】
請求項１の歯ブラシにおいて、前記複数の接続手段が複数の接続棒からなり、各接続棒が、長い部分と短い部分とからなる略Ｌ字状で、該長い部分と短い部分との結合部を中心に回動自在である、歯ブラシ。
【請求項９】
歯ブラシ部分と歯磨き粉収容部分とからなる歯ブラシにおいて、
前記歯ブラシ部分と前記歯磨き粉収容部分とが接続部を介して接続され、
前記接続部が、該接続部から突出する複数の接続手段を有し、前記歯磨き粉収容部分を該接続部に接続すると、該接続手段が、前記歯磨き粉収容部分に挿入されて該歯磨き粉収容部分の内で離隔するように移動して該該歯磨き粉収容部分と係合することを特徴とする歯ブラシ。
【請求項１０】
請求項９の歯ブラシにおいて、さらに、前記歯磨き粉収容部分が胴体ケースを有し、該胴体ケースが溝を有し、該溝に沿って前記練り歯磨き粉を押し出す手段をさらに設け、該練り歯磨き粉を押し出す手段を移動すると、前記歯磨き粉収容部分内の練り歯磨き粉が前記歯ブラシ部分に押し出される、歯ブラシ。
【請求項１１】
請求項１０の歯ブラシにおいて、前記溝を構成する端面に複数の切欠部を設け、前記練り歯磨き粉を押し出す手段が、前記溝に沿って移動する際に該切欠部と係合する、歯ブラシ。
【請求項１２】
請求項１０又は１１の歯ブラシにおいて、前記練り歯磨き粉を押し出す手段が、一対のローラとそれらを前記溝に沿って移動させるレバーとからなる、歯ブラシ。
【請求項１３】
請求項９の歯ブラシにおいて、前記ブラシ部分からブラシの部分を交換できる、歯ブラシ。
【請求項１４】
請求１２の歯ブラシにおいて、前記練り歯磨き粉がジェル状のものである、歯ブラシ。
【請求項１５】
請求項１４の歯ブラシにおいて、前記練り歯磨き粉が変形可能な材料から作られた容器に収容されている、歯ブラシ。
【請求項１６】
請求項９の歯ブラシにおいて、前記複数の接続手段が複数の接続棒からなり、各接続棒が、長い部分と短い部分とからなる略Ｌ字状で、該長い部分と短い部分との結合部を中心に回動自在である、歯ブラシ。
【発明の詳細な説明】
【技術分野】
【０００１】  本発明は、練り歯磨き粉を収容したチューブを取り付けた歯ブラシに関し、詳しくは、練り歯磨き粉を収容したチューブを簡単にかつ確実に着脱でき、また、使用後ごとにその歯磨き粉のチューブを取り外す必要のない歯ブラシに関する。
【背景技術】
【０００２】
【特許文献１】特開平７−１２４０１７号公報
【特許文献２】特開２００４−１７４１５８号公報
従来、持ち運びの便宜を考慮した万年筆の形状をした携帯用歯ブラシが提案されている。その携帯用歯ブラシは、歯ブラシ本体に接続金具を介して歯磨き粉チューブが取り付けられていて、歯磨き粉しぼり用レバーをスライドさせながら歯磨き粉チューブをしぼることによって、歯磨き粉導入管を通って歯磨き粉をブラシに塗布するように構成されている（例えば、特許文献１）。【０００３】  また、歯ブラシにカートリッジタイプの歯磨き粉を内蔵させていて、そのカートリッジを交換することによって毎日異なったフレーバーの歯磨き粉を使用できる構成のものが提案されている（例えば、特許文献２）。【０００４】  このように、従来の歯磨き粉付き歯ブラシにおいては、歯磨き粉が収容された容器は、歯ブラシと一体的に形成されているか、または、ねじ込みによって歯ブラシに取り付けられている。このため、歯磨き粉の交換ができないか、又は、交換できたとしても、容易ではない。また、歯磨き粉を供給するためにスライドレバーを用いたとしても、歯磨き粉を容易にしぼり出すことができず、しぼり出す量も目安で行っている。
【発明の開示】
【発明が解決しようとする課題】
【０００５】  本発明は、歯磨き粉を交換することできるようにその容器を容易に歯ブラシ部分に接続できる一方容易に取り外すことができ、所定の量の歯磨き粉を容易にかつ確実に歯ブラシ部分に供給することができ、歯磨きでの使用後に、歯磨き粉の容器を取り外す必要がなく、また、長期にわたって歯磨き粉の品質を維持することができる歯ブラシを提供することを目的とする。
【課題を解決するための手段】
【０００６】  本発明に係る歯ブラシは、歯ブラシの先端部分と歯磨き粉収容部分とからなる歯ブラシにおいて、前記歯ブラシの先端部分が、柄の部分、ブラシ部分及び接続部を備え、歯磨き粉収容部分に練り歯磨き粉が収容された練り歯磨き収容部を収容し、柄の部分に、接続部からブラシ部分に練り歯磨き粉を供給するための供給路が形成されていて、接続部に練り歯磨き粉収容部の先端部が接続されると、練り歯磨き粉収容部内の練り歯磨き粉が接続部を介して供給路に供給され、接続部が接続部から突出する複数の接続手段を有し、練り歯磨き粉収容部の先端部を接続部に接続すると、接続手段が、練り歯磨き粉収容部に挿入される。【０００７】  また、本発明に係る歯ブラシは、歯ブラシ部分と歯磨き粉収容部分とからなる歯ブラシにおいて、歯ブラシ部分と歯磨き粉収容部分とが接続部を介して接続され、接続部が、その接続部から突出する複数の接続手段を有し、歯磨き粉収容部分を接続部に接続すると、接続手段が、歯磨き粉収容部分に挿入されて歯磨き粉収容部分の内で離隔するように移動して歯磨き粉収容部分と係合する。
【発明の効果】
【０００８】  本発明によると、練り歯磨き粉を年齢、性別等で個人ごとに変えることができ、その際、練り歯磨き粉の詰められている容器を歯ブラシ部分に簡単にかつ確実に着脱できる一方、歯磨きでの使用毎に歯磨き粉の容器の着脱を行う必要はなく、また、練り歯磨きを供給するにあたって一定量ずつ供給できるとともに、歯磨き粉が供給部に戻ることがないので使用後は洗い流すだけでよいため衛生的に使用することができる。さらに、片手で使用することができるため体の不自由な方の使用も容易になる。
【発明を実施するための最良の形態】
【０００９】  以下、図面を参照しながら本発明に係る歯ブラシ１について説明する。【００１０】  図１、図２及び図３に示すように、歯ブラシ１は、歯ブラシの先端部分１０と歯磨き粉収容部分２０とからなる。歯ブラシの先端部分１０は、柄の部分１１、ブラシ部分１２、接続部１３及びブラシキャップ１４からなり、また、歯磨き粉収容部分２０は、練り歯磨き粉収容部２１と胴体ケース２２とからなる。歯ブラシの先端部分１０と歯磨き粉収容部分２０とは、接続部１３を介して結合されている。練り歯磨き粉収容部２１は変形可能な材料、例えば、柔らかな素材から作られたチューブから作られており、歯磨き粉収容部分２０には、練り歯磨き粉収容部２１を搾ってその中の練り歯磨き粉を押し出すためにスライド可能なレバー５０を設けてある。【００１１】  全体の形状として、ブラシキャップ１４の先端を尖らせる一方、胴体ケース２２の後端部を丸めることによって、どちらが持つ部分かを容易に判別できるようにしてある。また、ブラシキャップの先端部に２つの貫通孔１４ａと、ブラシ部分１２に面する側に２つの貫通孔１４ａとが形成されていて、ブラシキャップ１４内に空気が流入しやすることによって、ブラシ部分１２等が乾燥しやすいようにしてある。【００１２】  柄の部分１１の中には、練り歯磨き粉を接続部１３からブラシ部分１２に供給するための供給路１６が貫通するよう形成してある。ブラシ部分１２には、その供給路１６の出口孔１７が２つ形成されている。また、接続部１３には練り歯磨き粉を供給するための供給孔１８が設けられている。詳しくは後述するが、供給孔１８に歯磨き粉収容部分２０の先端部が接続されると、練り歯磨き粉はその供給孔から供給路１６を通ってブラシの出口孔１７まで送り出され、ブラシ部分１２のブラシの間に滲み出るようになる。供給路１６は、練り歯磨き粉が通るにあたってあまり抵抗なく通過できる一方、歯ブラシを使用しない場合には、供給路１６から漏れでない程度の大きさが望ましく、例えば、内径が２ｍｍ程度の通路を用いることができる。出口孔１７の大きさは供給路の径よりも小さく、供給路１６に対し出口孔１７がスポイドの管の絞り部分のように形成されている。【００１３】  ブラシ部分１２は、図４に示すように、柄の部分１１から取り外して交換することができる。ただし、ブラシ部分１２は柄の部分１１と一体的に形成してもよい。【００１４】  接続部１３には、突出した係止部１３ａが形成されていて、柄の部分１１を覆うブラシキャップ１４の開放端部が当接することによってブラシ部分１２を清潔に保つように機能する。また、供給孔１８に結合された歯磨き粉収容部分２０を覆う胴体ケース２２の開放端部が当接することによって、胴体ケース２２と柄の部分１１とがしっかり固定されるようになる。このようにして、歯を磨く際に、胴体ケースが歯ブラシ１の把持部として機能するようになる。【００１５】  また、図５及び図６に示すように、接続部１３の供給孔１８には漏斗形状の凹部１８ａが形成されていて、そこから、供給路１６が滑らかに連続するように形成されている。漏斗形状の凹部１８ａには、接続機構４０が設けられてあり、その凹部１８ａに練り歯磨き収容部２１の先端部２３が挿���される際に、その挿入を容易にするとともに、挿入後に、その先端部２３が凹部１８ａから抜けにくくする。ただし、ある程度力をかけると練り歯磨き収容部２１は凹部１８ａから容易に抜くことができる。【００１６】  接続機構４０は、略Ｌ字状の接続棒４１及びこの接続棒４１の支持部４２からなる。接続棒４１は長部４１ａと短部４１ｂとが略Ｌ字状になるように一体的に形成されたもので、長部４１ａと短部４１ｂの接続部には回転軸４１ｃが埋め込まれており、回転軸は支持部４２に回動自在に取り付けられている。それにより、図５に実線で示すように、通常、接続棒４１は、長部４１ａの先端部が互いに集合して近づくように配置されているが、練り歯磨き収容部２１の先端部２３が凹部１８ａに挿入されると、図５に破線で示すように、長部４１ａ同士が互いに遠ざかるように動く。このように動くための構造は以下により詳細に説明する。【００１７】  図６に示すように、凹部１８ａの内部の面には、半球状の突起４１ｄが円周に沿って均等な間隔で形成されている。また、その突起４１ｄは、図５に示すように、練り歯磨き収容部２１が取り付けられる側から胴体ケース２２に向かう方向に、言い換えると、その図に向かって水平方向に沿って並んで、２つ隣り合うように形成されている。それらの２つの突起４１ｄの間にはくぼみが形成されている。通常は、そこに短部４１ｂの先端部が入り込んで２つの突起４１ｄと係合して一時的に固定される。この状態では、長部４１ａは、図５に実線で示すように、集合して互いに近づくように位置している。【００１８】  図７に示すように、長部４１ａの先端が互いに近づいた状態で、練り歯磨き収容部２１の先端部２３を凹部１８ａに挿入すると、図８に示すように、その先端部２３が供給孔１８の壁面と係合して固定される。同時に、その先端部２３の開口端部２３ａが、短部４１ｂに衝突して供給路１６に向かってそれを押し込む。短部４１ｂが押し込まれると、短部４１ｂの先端部が突起４１ｄを乗り越えて短部４１ｂと突起４１ｄとの間の係合が解除される。それにより、接続棒４１の長部４１ａが、図５において破線で示すように、互いに遠ざかる位置に移動し、その結果、図８に示すように、長部４１ａの先端部が練り歯磨き収容部２１の内部の本体出口部の肩部と係合するようになる。これにより、練り歯磨き収容部２１の先端部２３が接続部１３の供給孔１８に、よりしっかりと固定されて液だれを防止できる。練り歯磨き収容部２１を取り外す場合には、単に、それを接続部１３から引っ張ればよい。その際には、長部４１ａの先端部が練り歯磨き収容部２１の内部の本体出口部を通る際に互いに近づくように閉じられるので、簡単に取り外しができる。【００１９】  上記のように、練り歯磨き収容部２１の先端部２３を凹部１８ａに挿入する際に、先に突出した長部４１ａの先端部を練り歯磨き収容部２１の内部に挿入するので、その長部４１ａは挿入の際のガイドとなり、練り歯磨き収容部２１の先端部２３を容易に凹部１８ａに挿入できるようになる。また、取り外しは単に両者を引き離すことによって行えばよいので容易である。【００２０】  練り歯磨き収容部２１に収容する練り歯磨き粉は、ジェル状で清潔感のある濃い色をしたものが視覚的に供給を確認できて望ましい。粉状のものに限定されるものではない。また、それは固まり難いが、柄の部分１１に形成された供給路１６を通りやすく、ブラシ部分から液垂れし難いものが適する。その練り歯磨き粉はレバー５０を親指等でスライドさせることによってブラシ部分１２に供給する。【００２１】  図９、図１０及び図１１に示すように、レバー５０には、親指等で押しやすいように、胴体ケースの後端部に向かって傾斜面が形成されている。レバー５０は一対のローラ５１を移動させるもので、それらのローラ５１は胴体ケース２２の内部に配置されている。一対のローラ５１はそれぞれの回転軸５１ａを中心に回動自在であり、それらの回転軸５１ａは上下の支持板５２に固定されている。また、レバー５０は上方の支持板５２に固定されており、支持板５２には一対の係合部材５３が設けられている。その係合部材５３はプーリのような形状に形成されたもので、レバー５０の両側面にそれぞれ配置されていて、図示せぬコイルスプリング（符号５４で示す位置に配置したもの）によって互いに離れる方向に付勢されている。係合部材５３は、胴体ケース２２に形成された溝５５の平行な２つの端面とそれぞれ係合する。そのため、レバー５０をその溝に沿って移動させた場合に、それらの端面に形成された切欠部に係合部材５３がはまり込むと、レバー５０はその位置に一時的に固定される。【００２２】  一対のローラ５１の間には、柔軟な材料で構成された練り歯磨き収容部２１が置かれる。その状態でレバー５０を移動させると、それらのローラによって練り歯磨き収容部２１が搾られ、ローラ５０が搾り出した分の練り歯磨き粉が、供給孔１８から供給路１６を経由してブラシ部分１２に供給される。溝５５に形成した切欠部は、例えば、レバー５０を溝５５の一つの切欠部から次の切欠部に移動すると一回分の練り歯磨き粉を供給するように形成することができる。ただし、その切欠部の間隔は、押し出す練り歯磨きの分量に応じて変更することができる。例えば、切欠部同士の間隔が狭くなるようにして、３つ移動させた場合に一般的な量の練り歯磨きを押し出せるようにすると、切欠部を１つ移動させた場合には、少ない分量の練り歯磨きを使用したいという意向に対応させることができるようになる。【００２３】  使用の際には、まず、ブラシ部分１２を柄の部分１１に取り付け、次に、使用者の好みの色やフレーバーの練り歯磨き粉を詰めた練り歯磨き収容部２１の先端部２３を凹部１８ａに挿入する。それから、その練り歯磨き収容部２１を覆うように胴体ケース２２をかぶせて、胴体ケース２２の開放端部を係止部１３ａに当接させる。それによって、接続部１３を介して、柄の部分１１に胴体ケース２２にしっかり固定させ、歯を磨く際に、胴体ケースを歯ブラシ１の把持部とする。【００２４】  練り歯磨き粉を出す際には、レバー５０を親指で押し進める。その際に、「カチッ」という音とともに係合部材５３が切欠部にはまり込んでレバー５０の移動が軽く止められる。そのレバー５０が切欠部の間を移動した分だけ一対のローラ５１が練り歯磨き収容部２１を挟んで搾り出す。そのローラ５１の搾った分だけ練り歯磨き粉が供給路１６を経由して出口孔１���から押し出される。【００２５】  歯を磨いた後には、ブラシ部分１２を水で洗浄して使用した歯磨き粉を洗い流す。使用していない練り歯磨き粉は供給路１６の出口孔１７に留まるので、歯ブラシ１はそのまま乾燥させるだけでよい。使用していないときには、ブラシ部分１２及び柄の部分１１にブラシキャップ１４を被せておく。次に使用する場合には、そのブラシキャップ１４をはずし、レバー５０を押し進めて、係合部材５３が次の切欠部にはまり込んで「カチッ」という音とともにとまるようにする。それにより、レバー５０を押し進めた分だけ練り歯磨き粉が供給路１６を経由して送り出されて出口孔１７から押し出されるので、それで歯を磨く。【００２６】  上記の実施例は便宜的なものであり、本発明は上記の実施例に限定されるものではなく、本発明を逸脱することなく、さまざまな変形や応用を含む。例えば、練り歯磨き粉が押し出される出口孔１７は実施例のように２つでなくても１つ又は３個以上でもよい。ただし、出口孔１７と供給路１１とによってスポイドの管と絞り部分との関係は維持して、歯ブラシ１を使用しない場合に、練り歯磨き粉が空気に触れて乾燥することを防いだり、出口孔から練り歯磨き粉がもれ出たることを防いだりすることは重要である。また、上記の実施例の接続部１３では、長部及び短部からなる接続棒を用いたが、接続棒は板状のものでもよく、接続の容易さ及び結合した後の結合状態の維持を図ることができる利点を発揮できればよい。また、短部４１ｂは突起４１ｄに係合させたが、短部の端部を凹部１８ａの内壁に回動自在に接続するとともに、その短部の中ごろに屈曲部を設け、練り歯磨き収容部２１の先端部２３の開口端部２３ａがその屈曲部に衝突すると、その短部がその屈曲部から柄の部分に向かって折れ曲がり、その結果、長部が外側に向かって移動するようにしてもよい。
【図面の簡単な説明】
【００２７】
【図１】図１は、本発明に係る一実施例に係る歯ブラシの側面図である。
【図２】図２は、図１の歯ブラシの正面図である。
【図３】図３は、本発明に係るの歯ブラシの分解図である。
【図４】図４は、本発明に係るの歯ブラシの歯ブラシ部分の拡大図である。
【図５】図５は、本発明に係るの歯ブラシの接続部の拡大側面図である。
【図６】図６は、図５の接続部の拡大正面図である。
【図７】図７は、本発明に係るの歯ブラシの接続部と練り歯磨き収容部との概略図である。
【図８】図８は、本発明に係るの歯ブラシの接続部と練り歯磨き収容部とを接続した状態を説明するための概略図である。
【図９】図９は、本発明に係るの歯ブラシの練り歯磨き粉の供給機構を説明するための一部拡大図である。
【図１０】図１０は、本発明に係るの歯ブラシの練り歯磨き粉の供給機構を説明するための一部拡大断面図である。
【図１１】図１１は、本発明に係るの歯ブラシの練り歯磨き粉の供給機構を説明するための一部拡大断面図である。
【符号の説明】
【００２８】１０  歯ブラシの先端部分
１１  柄
１２  歯ブラシ部分
１３  接続部
１６  供給路
２０  歯磨き粉収容部分
【図１】
2006305282.tif 000003
【図２】
2006305282.tif 000004
【図３】
2006305282.tif 000005
【図４】
2006305282.tif 000006
【図５】
2006305282.tif 000007
【図６】
2006305282.tif 000008
【図７】
2006305282.tif 000009
【図８】
2006305282.tif 000010
【図９】
2006305282.tif 000011
【図１０】
2006305282.tif 000012
【図１１】
2006305282.tif 000013